(57)【要約】【課題】簡単な手動操作を必要に応じて行うだけで、被処理流体に含まれる塵芥等によってストレーナが目詰まりを起こし、濾過機能を果しえなくなることを防止することが可能な、低コストの濾過装置を提供する。【解決手段】濾過装置１は、上下対称な構成となっており、上下を逆にして使用することができる。すなわち、濾過装置１は、上下両端が開口した円筒状の濾過装置本体２と、濾過装置本体２の両端開口部にそれぞれ水密状態で連結される、同一形状・同一構造の一対の流路部材３，４と、を備えている。流路部材３，４には、それぞれ、被処理流体を濾過装置本体２内に流入させ又は処理済流体を濾過装置本体２から外部に流出させるための流路３ａ，４ａが形成されている。流路３ａ，４ａの所定の位置には、それぞれ、被処理流体に含まれる塵芥等を取り除くためのストレーナ５，６が配設されている。【選択図】図１
0003217975.tif 000002
【実用新案登録請求の範囲】
【請求項１】
両端が開口した筒状の濾過装置本体と、前記濾過装置本体の両端開口部にそれぞれ水密状態で連結される、同一形状・同一構造の一対の流路部材と、を備え、
前記流路部材には、被処理流体を前記濾過装置本体内に流入させ又は処理済流体を前記濾過装置本体から外部に流出させるための流路が形成されており、
前記流路の所定の位置に、前記被処理流体に含まれる塵芥等を取り除くためのストレーナが配設されていることを特徴とする濾過装置。
【請求項２】
前記濾過装置本体内には、前記ストレーナよりも目の細かい濾過材が収容される、請求項１に記載の濾過装置。
【考案の詳細な説明】
【技術分野】
【０００１】
本考案は、被処理流体の濾過処理に用いられる濾過装置に関する。さらに詳細には、本考案は、捕捉された、被処理流体に含まれる塵芥等（スラッジ）を、当該濾過装置を分解することなく取り除くことが可能な濾過装置に関する。
【背景技術】
【０００２】
従来、かかる機能を備えた濾過装置としては、例えば、特許文献１に開示されたものが知られている。
特許文献１に開示された濾過装置は、内部に濾過材を有し、濾過液側を互いに接続した２つのフィルターハウジングと、原液供給管と、濾過液流出管と、原液供給管に設けられ所定時間毎に切り替えて各フィルターハウジングへ原液を交互に供給するバルブと、濾過液流出管に設けられ各フィルターハウジングより流出する液の流れを通常は濾過液排出側に導き、逆洗時にスラッジ排出側に切り替える排出バルブと、によりなるものである。
特許文献１に開示された濾過装置においては、原液を一方のフィルターハウジング側から供給して通常運転を行なう場合には、一方のフィルターハウジング内の濾過材にスラッジが捕捉され、清澄になった液が他方のフィルターハウジング内の濾過材を通って濾過液排出側に排出される。そして、一方のフィルターハウジングの濾過材にスラッジがたまると、原液の供給が他方のフィルターハウジング側へ切り替えられ、他方のフィルターハウジング内の濾過材にスラッジが捕捉される。そして、清澄になった濾過液が、スラッジのたまっている一方のフィルターハウジングの濾過材を逆洗し、そのスラッジをスラッジ排出側に排出する。このような液体の流れの変更が適時繰り返される。即ち、各フィルターハウジング内の原液の流れ方向を切り替えることにより、どちらか一方のフィルターハウジングの逆洗を行なうことができる。
【先行技術文献】
【特許文献】
【０００３】
【特許文献１】実開平４−１３１４０６号公報
【考案の概要】
【考案が解決しようとする課題】
【０００４】
しかし、特許文献１に開示された濾過装置は、自動制御されるものであるため、複雑で大掛かりなものとなり、製品コストの高騰を招く虞がある。
【０００５】
本考案は、従来技術における前記課題を解決するためになされたものであり、構成が簡単で、かつ、簡単な手動操作を必要に応じて行うだけで、捕捉された、被処理流体に含まれる塵芥等（スラッジ）を、当該濾過装置を分解することなく取り除くことが可能な低コストの濾過装置を提供することを目的とする。
【課題を解決するための手段】
【０００６】
前記目的を達成するため、本考案に係る濾過装置の構成は、
（１）両端が開口した筒状の濾過装置本体と、前記濾過装置本体の両端開口部にそれぞれ水密状態で連結される、同一形状・同一構造の一対の流路部材と、を備え、
前記流路部材には、被処理流体を前記濾過装置本体内に流入させ又は処理済流体を前記濾過装置本体から外部に流出させるための流路が形成されており、
前記流路の所定の位置に、前記被処理流体に含まれる塵芥等を取り除くためのストレーナが配設されていることを特徴とする。
【０００７】
本考案の濾過装置の上記（１）の構成によれば、以下のような作用効果が得られる。すなわち、濾過装置を、例えば、一方の流路部材が下、他方の流路部材が上にくるような状態で使用し続けると、被処理流体に含まれる塵芥等によって前記一方の流路部材の流路に配設されたストレーナが目詰まりを起こし、前記濾過装置がその機能を果しえなくなる。この場合には、前記濾過装置を、前記他方の流路部材が下、前記一方の流路部材が上にくるような状態に切り替える。すなわち、前記他方の流路部材の流入口から被処理流体が流入されるようにする。すると、処理済流体が前記ストレーナを通るときに、当該ストレーナの上面に捕捉されている塵芥等が剥離し、前記一方の流路部材の前記流路を通過して、前記一方の流路部材の流出口から外部に排出される。そして、これにより、前記ストレーナの目詰まりが解消される。このように、本考案の濾過装置の上記（１）の構成によれば、当該濾過装置を上下逆にする等の簡単な手動操作を必要に応じて行うだけで、捕捉された、被処理流体に含まれる塵芥等（スラッジ）を、当該濾過装置を分解することなく取り除くことができる。
また、本考案の濾過装置の上記（１）の構成によれば、同一形状・同一構造の一対の流路部材を備える構成となっているため、部品点数を削減して製品コストの低減を図ることもできる。
【０００８】
本考案の濾過装置の上記（１）の構成においては、以下の（２）のような構成にすることが好ましい。
【０００９】
（２）前記濾過装置本体内には、前記ストレーナよりも目の細かい濾過材が収容される。
【００１０】
上記（２）の好ましい構成によれば、処理済流体の濾過精度を高めることができる。
【考案の効果】
【００１１】
本考案によれば、構成が簡単で、かつ、当該濾過装置を上下逆にする等の簡単な手動操作を必要に応じて行うだけで、捕捉された、被処理流体に含まれる塵芥等（スラッジ）を、当該濾過装置を分解することなく取り除くことが可能な低コストの濾過装置を提供することができる。
【図面の簡単な説明】
【００１２】
【図１】本考案の一実施の形態における濾過装置の構成を示す縦断面図である。
【図２】図１のII−II線矢視断面図である。
【図３】本考案の一実施の形態における濾過装置の構成を示す分解縦断面図である。
【図４】本考案の一実施の形態における濾過装置の一部を破断省略して示した分解斜視図である。
【図５】本考案の一実施の形態における濾過装置の使用方法を説明するための縦断面図である。
【考案を実施するための形態】
【００１３】
以下、好適な実施の形態を用いて本考案をさらに具体的に説明する。但し、下記の実施の形態は本考案を具現化した例に過ぎず、本考案はこれに限定されるものではない。
【００１４】
（濾過装置の構成）
まず、本考案の一実施の形態における濾過装置の構成について、図１〜図４を参照しながら説明する。
【００１５】
図１は、本考案の一実施の形態における濾過装置の構成を示す縦断面図、図２は、図１のII−II線矢視断面図、図３は、当該濾過装置の構成を示す分解縦断面図、図４は、当該濾過装置の一部を破断省略して示した分解斜視図である。
【００１６】
図１〜図４に示すように、本実施の形態の濾過装置１は、両端が開口した円筒状の濾過装置本体２と、濾過装置本体２の両端開口部にそれぞれ水密状態で連結される、同一形状・同一構造の一対の流路部材３，４と、を備えている。ここで、流路部材３，４は、濾過装置本体２と同じ外径を有する円柱状に形成されている。
流路部材３には、被処理流体を濾過装置本体２内に流入させるための流路３ａが形成されている（図１の矢印ａを参照）。図１，図３，図４中、参照符号３ｂは、流路部材３の外周面に形成され、流路３ａと連通する流入口を示している。また、流路部材４には、処理済流体を濾過装置本体２から外部に流出させるための流路４ａが形成されている（図１の矢印ｂを参照）。図１，図３中、参照符号４ｂは、流路部材４の外周面に形成され、流路４ａと連通する流出口を示している。
流路３ａの所定の位置には、被処理流体に含まれる塵芥等（スラッジ）を取り除くための２００メッシュのストレーナ５が配設されている。また、流路４ａの所定の位置にも、同じく２００メッシュのストレーナ６が配設されている。
【００１７】
流路部材３は、濾過装置本体２の一端（下端）開口部にＯリング７を介して水密状態で固定される。流路部材３と濾過装置本体２との固定は、ボルト８とナット９とからなる複数の締結手段によってなされる。
また、流路部材４は、濾過装置本体２の他端（上端）開口部にＯリング１０を介して水密状態で固定される。流路部材４と濾過装置本体２との固定は、ボルト１１とナット１２とからなる複数の締結手段によってなされる。
【００１８】
流路部材３の、濾過装置本体２との対向端部は、すり鉢状に形成されており、当該すり鉢状部分１３の底面には略半球状の凸部１４が設けられている。また、すり鉢状部分１３の底面の、凸部１４の周囲は、流路３ａの終端面となっており、当該終端面にストレーナ５が取り付けられている。
流路部材４の、濾過装置本体２との対向端部も、すり鉢状に形成されており、当該すり鉢状部分１５の底面には略半球状の凸部１６が設けられている。また、すり鉢状部分１５の底面の、凸部１６の周囲は、流路４ａの始端面となっており、当該始端面にストレーナ６が取り付けられている。
【００１９】
以上のように、本実施の形態の濾過装置１は上下対称な構成となっている。従って、本実施の形態の濾過装置１は、上下を逆にして使用することが可能である（図５を参照）。図１，図５（Ａ）に示す濾過装置１を、上下逆にした場合（図５（Ｂ））、参照符号４ｂが「流入口」となり、参照符号３ｂが「流出口」となる。また、ストレーナ６は流路４ａの終端面に取り付けられた状態となり、ストレーナ５は流路３ａの始端面に取り付けられた状態となる。
【００２０】
本実施の形態の濾過装置１の構成によれば、以下のような作用効果が得られる。
濾過装置１を、例えば、流路部材３が下、流路部材４が上にくるような状態（図１，図５（Ａ）の状態）で使用し続けると、被処理流体に含まれる塵芥等によってストレーナ５が目詰まりを起こし、濾過装置１がその機能を果しえなくなる。この場合には、濾過装置１を、流路部材４が下、流路部材３が上にくるような状態（図５（Ｂ）の状態）に切り替える。すなわち、流路部材４の流入口４ｂから被処理流体が流入されるようにする。すると、処理済流体がストレーナ５を通るときに、当該ストレーナ５の上面に捕捉されている塵芥等が剥離し、流路３ａを通過して、流出口３ｂから外部に排出される。そして、これにより、ストレーナ５の目詰まりが解消される。このように、濾過装置１を上下逆にする等の簡単な手動操作を必要に応じて行うだけで、捕捉された、被処理流体に含まれる塵芥等（スラッジ）を、当該濾過装置１を分解することなく取り除くことができる。
また、本実施の形態の濾過装置１の構成によれば、同一形状・同一構造の一対の流路部材３，４を備える構成となっているため、部品点数を削減して製品コストの低減を図ることができる。
【００２１】
濾過装置本体２内には、ストレーナ５，６よりも目の細かい濾過材１７が収容されている（図５を参照）。本実施の形態において「濾過装置本体２内」と言った場合、流路部材３，４のすり鉢状部分１３，１５も含まれるものとする。濾過材１７の材質は、金属、樹脂等の流体の比重よりも重いものであれば何でもよいが、その大きさ、形状、濾過層の厚み等は、処理済流体に要求される濾過精度によって異なる。
このように濾過装置本体２内に、ストレーナ５，６よりも目の細かい濾過材１７を収容することにより、処理済流体の濾過精度を高めることができる。
【００２２】
（濾過装置の使用方法）
次に、本考案の一実施の形態における濾過装置の使用方法について、図５を参照しながら説明する。
【００２３】
図５は、本考案の一実施の形態における濾過装置の使用方法を説明するための縦断面図である。
【００２４】
図５（Ａ）に示すように、最初、濾過装置１は、流路部材３が下、流路部材４が上にくるような状態で使用されているとする。すなわち、流路部材３の流入口３ｂから被処理流体が流入しているとする。すると、被処理流体は、流路３ａを通過し（図５（Ａ）の矢印ａを参照）、当該流路３ａの終端面に取り付けられたストレーナ５を通って濾過装置本体２内に導入される。この濾過装置本体２内への導入時に、被処理流体に含まれる塵芥等がストレーナ５によって取り除かれる。濾過装置本体２内に導入された被処理流体は、濾過装置本体２内に収容された、ストレーナ５よりも目の細かい濾過材１７によって処理された後、流路部材４の流路４ａを通過し（図５（Ａ）の矢印ｂを参照）、処理済流体として流出口４ｂから外部に流出される。
【００２５】
濾過装置１をこのような状態で使用し続けると、被処理流体に含まれる塵芥等によってストレーナ５が目詰まりを起こし、濾過装置１がその機能を果しえなくなる。
この場合には、図５（Ｂ）に示すように、濾過装置１を、流路部材４が下、流路部材３が上にくるような状態に切り替える。すなわち、流路部材４の流入口４ｂから被処理流体が流入されるようにする。すると、被処理流体は、流路４ａを通過し（図５（Ｂ）の矢印ｃを参照）、当該流路４ａの終端面に取り付けられたストレーナ６を通って濾過装置本体２内に導入される。この濾過装置本体２への導入時に、被処理流体に含まれる塵芥等がストレーナ６によって取り除かれる。濾過装置本体２内に導入された被処理流体は、濾過装置本体２内に収容された、ストレーナ６よりも目の細かい濾過材１７によって処理される。処理済流体は、流路部材３の流路３ａの始端面に取り付けられたストレーナ５を通った後、流路３ａを通過し（図５（Ｂ）の矢印ｄを参照）、流出口３ｂから外部に流出される。そして、処理済流体がストレーナ５を通るときに、当該ストレーナ５の上面に捕捉されている塵芥等が剥離し、流路３ａを通過して、流出口３ｂから外部に排出される。そして、これにより、ストレーナ５の目詰まりが解消される。なお、塵芥等が外部に排出されている段階の処理済流体は、使用されずにそのまま廃棄される。
【００２６】
このように、濾過装置１を上下逆にする等の簡単な手動操作を必要に応じて行うだけで、捕捉された、被処理流体に含まれる塵芥等（スラッジ）を、当該濾過装置１を分解することなく取り除くことができる。
【００２７】
尚、上記実施の形態においては、円筒状の濾過装置本体２を備える濾過装置１を例に挙げて説明したが、本考案は必ずしもこのような構成に限定されるものではない。濾過装置本体は、両端が開口した筒状のものであれば、例えば、楕円筒状、四角筒状等のものであってもよい。この場合、流路部材の外形も、濾過装置本体の形状に合わせて変更される。
【００２８】
また、上記実施の形態においては、ストレーナ５，６が流路３ａ，４ａの終端面あるいは始端面に取り付けられている場合を例に挙げて説明したが、本考案は必ずしもこのような構成に限定されるものではない。ストレーナは、流路の所定の位置に配設されていればよい。
【００２９】
また、上記実施の形態においては、濾過装置本体２内にストレーナ５，６よりも目の細かい濾過材１７が収容される場合を例に挙げて説明したが、本考案は必ずしもこのような構成に限定されるものではない。処理済流体にそれほどの濾過精度が要求されないのであれば、濾過装置本体内にストレーナよりも目の細かい濾過材を収容する必要はない。ストレーナのメッシュを調整するだけでも十分である。
【符号の説明】
【００３０】
１  濾過装置
２  濾過装置本体
３，４  流路部材
３ａ，４ａ  流路
３ｂ  流入口、流出口
４ｂ  流出口、流入口
５，６  ストレーナ
７，１０  Ｏリング
８，１１  ボルト
９，１２  ナット
１３，１５  すり鉢状部分
１４，１６  凸部
１７  濾過材
【図１】
0003217975.tif 000003
【図２】
0003217975.tif 000004
【図３】
0003217975.tif 000005
【図４】
0003217975.tif 000006
【図５】
0003217975.tif 000007